(57)【特許請求の範囲】
【請求項１】
天井に固定した天レールと床面に固定した地レール間に間隔を隔てて複数立設した支柱間の表裏両側に、それぞれパネル板を着脱可能に順次取付けて壁面を構築する間仕切パネルであって、スチール製の表面板の背面に石膏ボードを貼着したパネル板を前記支柱の表裏両側に取付けるとともに、表裏パネル板間の中間部にロックウールボードからなる内部パネルを取付け、該内部パネルと一方の前記パネル板との間にロックウールを充填することにより、パネル板、ロックウール層、内部パネル、空気層、パネル板の５層構造にするとともに、前記天レール、地レール及び支柱の内部にもロックウールを充填してなる高遮音性間仕切パネル。
【請求項２】
前記支柱の両側面側に突出する状態で取付けた保持板に、前後一方から前記内部パネルの両側端部を当止するとともに、該内部パネルの押え金具で端部を保持した状態で該押え金具を前記保持板にネジ止めしてなる請求項１記載の高遮音性間仕切パネル。
【請求項３】
前記天レールは、下方へ凹溝部を向けた断面略コ字形であり、該凹溝部内に断面略コ字形の天保持部材をその凹溝を上方に向けて嵌合するとともに、前記天レールと天保持部材とで形成される内部空間にロックウールを充填し、前記地レールは、上方へ凹溝部を向けた断面略コ字形であり、該凹溝部内に断面略コ字形の地保持部材をその凹溝を下方に向けて嵌合するとともに、前記地レールと地保持部材とで形成される内部空間にロックウールを充填してなる請求項１又は２記載の高遮音性間仕切パネル。
【請求項４】
前記内部パネルの下端を前記地保持部材の上面に直接又は他の部材を介して載置するとともに、該内部パネルの上端部を前記天保持部材の下面に突設した前後の両挟持片間に嵌合してなる請求項３記載の高遮音性間仕切パネル。
【発明の詳細な説明】
【技術分野】
【０００１】
本発明は、高遮音性間仕切パネルに係わり、更に詳しくは５００Ｈｚ〜１ｋＨｚ付近（会話音域）での遮音性能を大幅に改善し、コインシデンス効果による２ｋＨｚ付近での性能低下が無くなる高遮音性間仕切パネルに関するものである。
【背景技術】
【０００２】
従来から防音機能を備えた間仕切パネルは各種提供されている。例えば、本出願人の先願に係る特許文献１には、枠体の表裏両面に剛性を有する表面パネルと裏面パネルを対向させて配設し、内部に閉じた空間を形成し、前記表面パネルと裏面パネルの固有周波数を異ならせて共鳴振動を減少させ、表裏に伝達する音の透過損失を向上させた防音パネル装置が開示されている。
【０００３】
具体的には、前記表面パネルと裏面パネルは、鋼鈑からなる表面板の背面に特殊ロックウール板の芯材を接着した構造である。前記枠体は、下枠体、上枠体及び両側枠体で構成し、前記表面パネルの下部縁板と裏面パネルの下部縁板間及び表面パネルの上部縁板と裏面パネルの上部縁板間に、それぞれ下枠体と上枠体を抱き込むように固着し、また表面パネルの側部縁板と裏面パネルの側部縁板の内側間に側枠体を固着して箱型構造となし、内部の空間にはロックウールからなる多孔質状の吸音材を充填している。更に、表面パネルの芯材の背面の上下中間部に、剛性の高い桟部材を略全幅にわたって固着するか、表面パネルの芯材の背面に、略全面にわたり鋼鈑や鉛板等の重量のある板部材を貼着し、裏面パネルとの固有振動数を異ならせ、互に共鳴振動することを防止している。
【０００４】
前述の防音パネル装置によってかなりの防音効果は達成できるが、表面パネルと裏面パネルとを枠体で周囲を連結して密閉した箱型構造としたので、パネルの重量が重くなって１人での取扱いが困難になり、作業性が悪くなるといった問題があった。
【特許文献１】特開２００１−１５２５７２号公報
【発明の開示】
【発明が解決しようとする課題】
【０００５】
そこで、本発明が前述の状況に鑑み、解決しようとするところは、間隔を隔てて立設した支柱間の表裏両側にパネル板を着脱可能に順次取付けて間仕切壁を構築できるといった従来通りの施工が可能なパネル構造であって、各構成部材が一人で取り扱える程度に軽量であり、また組立施工も比較的簡単であるとともに、外観性も従来通りであるにも係わらず遮音性に優れ、５００Ｈｚ〜１ｋＨｚ付近（会話音域）での遮音性能を大幅に改善し、コインシデンス効果による２ｋＨｚ付近での性能低下が無くなる高遮音性間仕切パネルを提供する点にある。
【課題を解決するための手段】
【０００６】
本発明は、前述の課題解決のために、天井に固定した天レールと床面に固定した地レール間に間隔を隔てて複数立設した支柱間の表裏両側に、それぞれパネル板を着脱可能に順次取付けて壁面を構築する間仕切パネルであって、スチール製の表面板の背面に石膏ボードを貼着したパネル板を前記支柱の表裏両側に取付けるとともに、表裏パネル板間の中間部にロックウールボードからなる内部パネルを取付け、該内部パネルと一方の前記パネル板との間にロックウールを充填することにより、パネル板、ロックウール層、内部パネル、空気層、パネル板の５層構造にするとともに、前記天レール、地レール及び支柱の内部にもロックウールを充填してなる高遮音性間仕切パネルを構成した（請求項１）。
【０００７】
また、前記支柱の両側面側に突出する状態で取付けた保持板に、前後一方から前記内部パネルの両側端部を当止するとともに、該内部パネルの押え金具で端部を保持した状態で該押え金具を前記保持板にネジ止めしてなることが好ましい（請求項２）。
【０００８】
更に、前記天レールは、下方へ凹溝部を向けた断面略コ字形であり、該凹溝部内に断面略コ字形の天保持部材をその凹溝を上方に向けて嵌合するとともに、前記天レールと天保持部材とで形成される内部空間にロックウールを充填し、前記地レールは、上方へ凹溝部を向けた断面略コ字形であり、該凹溝部内に断面略コ字形の地保持部材をその凹溝を下方に向けて嵌合するとともに、前記地レールと地保持部材とで形成される内部空間にロックウールを充填してなることがより好ましい（請求項３）。
【０００９】
この場合、前記内部パネルの下端を前記地保持部材の上面に直接又は他の部材を介して載置するとともに、該内部パネルの上端部を前記天保持部材の下面に突設した前後の両挟持片間に嵌合してなるのである(請求項４)。
【発明の効果】
【００１０】
以上にしてなる請求項１に係る発明の高遮音性間仕切パネルは、天井に固定した天レールと床面に固定した地レール間に間隔を隔てて複数立設した支柱間の表裏両側に、それぞれパネル板を着脱可能に順次取付けて壁面を構築することができるので、従来と同様な組立施工が可能であり、またここで使用するパネル板は、スチール製の表面板の背面に石膏ボードを貼着した防音仕様の通常構造のものであるので、取扱いが容易であり、そして前記支柱の表裏両側に取付けた表裏パネル板間の中間部にロックウールボードからなる内部パネルを取付け、該内部パネルと一方の前記パネル板との間にロックウールを充填することにより、パネル板、ロックウール層、内部パネル、空気層、パネル板の５層構造になり、しかも表裏パネル板はそれぞれ異なるロックウール層と空気層に接するので、固有振動数を異ならせることができるので、遮音性能に優れたものとなり、更に天レール、地レール及び支柱の内部にもロックウールを充填してなるので、全面の至るところに少なくともロックウールが存在するので、音の漏れや、音が迂回して表裏に伝達することを防止できるのである。また、支柱の内部にロックウールを充填することにより、該支柱の表裏両面に係止孔を形成し、該係止孔を利用してパネル板を着脱可能に嵌合係止する従来構造を採用しても、該係止孔を透過する音を減衰させることができる。更に、前記内部パネルをロックウールボードとしたので、更に遮音性が高くなり、また軽量であるので取扱いが容易である。
【００１１】
請求項２によれば、支柱の両側面側に突設した保持板に、前後一方から内部パネルの両側端部を当止するとともに、該内部パネルの押え金具で端部を保持した状態で該押え金具を前記保持板にネジ止めするので、両支柱間に内部パネルを取付ける作業が、前面側からの作業で済むので容易になり、また強度に乏しい内部パネルの支持も確実である。
【００１２】
請求項３によれば、音漏れを防止できるとともに、上部にあっては天レールと天保持部材とで形成した内部空間にロックウールを充填し、下部にあっては地レールと地保持部材とで形成した内部空間にロックウールを充填したので、天レールと地レールを透過する音を減衰させることができるとともに、ロックウールの飛散も防止できるので作業効率が良く、また内部パネルを地保持部材の上面に載支できる。
【００１３】
請求項４によれば、斜め下方から内部パネルの上端部を天保持部材の下面に突設した前後の両挟持片間に嵌合し、その後、内部パネルを垂直に立起させてその下端を地保持部材の上面に直接又は他の部材を介して載置することで、前記内部パネルから手を離しても倒れることがなく、この仮保持した状態で前記保持板と押え金具による本固定することができるので、作業効率が良く、更にレベル調整のために内部パネル、特にロックウールボードの上部を切断した場合であってもその切断部を両挟持片間に隠すことできる。
【発明を実施するための最良の形態】
【００１４】
次に、添付図面に示した実施形態に基づき、本発明を更に詳細に説明する。図１〜図３は、本発明に係る高遮音性間仕切パネルを示し、図４〜図１１は施工手順を示し、図中符号１は天レール、２は地レール、３は支柱、４はパネル板、５は内部パネル、６はロックウールをそれぞれ示している。
【００１５】
本発明に係る高遮音性間仕切パネルは、天井Ｓに固定した天レール１と床面Ｆに固定した地レール２間に間隔を隔てて複数立設した支柱３，…間の表裏両側に、それぞれパネル板４，４を着脱可能に順次取付けて壁面を構築するといった従来のパネル構造を採用し、外観性は従来の標準仕様の間仕切パネルと同一であるにも係わらず、パネル内部に工夫を凝らして高遮音性を達成するものである。
【００１６】
つまり、本発明の高遮音性間仕切パネルは、スチール製の表面板７の背面に石膏ボード８を貼着したパネル板４を前記支柱３，３の表裏両側に取付けるとともに、表裏パネル板４，４間の中間部に内部パネル５を取付け、該内部パネル５と一方の前記パネル板４との間にロックウール６を充填するとともに、前記天レール１、地レール２及び支柱３の内部にもロックウール６を充填したものである。そして、前記内部パネル５として、ロックウールボードを用いている。
【００１７】
本実施形態で使用したロックウールの成分は、ケイ素酸化物（シリカ）：３０〜４０％、酸化カルシウム：３０〜４０％、酸化アルミニウム：１０〜２０％、その他：鉄、マグネシウム、マンガン等の微量元素である。そして、上記成分材料を高炉で溶かし、微小な穴から遠心力を利用して綿アメ状に噴出させ、繊維状のロックウールを製造する。また、ロックウールボードは、前記ロックウールを圧縮して樹脂バインダー等で板形状に固定して製造したものである。従って、本実施形態で使用するロックウール６及びロックウールボード５は、肺がん、中皮腫等の健康被害を引き起こすとされる天然鉱物繊維のアスベストを全く含まないものである。
【００１８】
先ず、本発明に係る高遮音性間仕切パネルの全体構造を図１〜図３、図５に基づいて説明する。前記天レール１は、下方へ凹溝部を向けた断面略コ字形の長尺部材であり、天井Ｓにアンカーボルトで取付けている。また、前記地レール２は、上方へ凹溝部を向けた断面略コ字形の長尺部材であり、床面Ｆにアンカーボルトで取付けている。そして、前記天レール１と地レール２との間に、所定間隔毎に複数の支柱３，…を立設する。前記支柱３の下端にはアジャスター９を備え、該アジャスター９を地レール２の凹溝部内に立起させ、支柱３の上端部の設けた図示しない天固定部材１０を前記天レール１の凹溝部内に嵌合し、適宜な手段にて保持している。
【００１９】
前記支柱３は断面略コ字形であり、開口側を連結方向の一方に向けて配し、前後両面で左右両側部に、それぞれ係止孔１１，…を上下方向に所定間隔毎に形成している。つまり、前記支柱３は、側面板１２と該側面板１２に連続した前面板１３と後面板１４とを対向形成し、開口部１５を側方へ向けて立設されている。前記係止孔１１，…は、前面板１３と後面板１４にそれぞれ形成している。
【００２０】
前記パネル板は、スチール製の表面板７の周囲を背面側へ断面略コ字状に折り返して縁部１６を形成するとともに、背面に石膏ボード８を貼着し、更に図６に示すように、両側縁部１６，１６の背面側に少なくとも上下部に取付孔１７，…を形成している。そして、前記支柱３の係止孔１１に予め係止しておいた係止具１８に、前記パネル板４の取付孔１７を落とし込み係合させて装着するのである。また、前記支柱３の下端部に装着した前記アジャスター９のアジャスター受け１９の両側に突設した支持板２０に、長尺のパネル受け部材２１を載置してネジ止めし、両支柱３，３間に渡設している。このパネル受け部材２１に前記パネル板４の下端を載置して支持するのである。
【００２１】
従来の遮音仕様の間仕切パネルは、前述のパネル板４を用い、該パネル板４，４を両支柱３，３の表裏両面に装着するとともに、両パネル板４，４と両支柱３，３で形成される空間にロックウールを充填したものである。この遮音仕様の間仕切パネルでも一定の遮音効果を有している。
【００２２】
次に、従来の間仕切パネル構造に対して遮音構造を付加した本発明の高遮音仕様の間仕切パネルを説明する。先ず、両支柱３，３間に取付ける内部パネル５の取付構造について説明する。前記支柱３の側面板１２の開口部１５側と、その反対側にそれぞれ保持金具２２，２３を共通のネジ２４，…で取付ける。前記保持金具２２，２３は、図４に示すように、前記側面板１２に取付ける固定板２５と前記内部パネル５を保持する保持板２６とを有する平面視Ｌ字形のアングル部材であり、前記開口部１５の内部の側面板１２に取付ける保持金具２２の保持板２６の横幅は、側面板１２の外側面に取付ける保持金具２３の保持板２６の横幅よりも広く設定し、該支柱３の両側に突出した幅が略一致するようにしている。そして、前記両支柱３，３に取付けた各保持金具２２，２３の保持板２６，２６に前面側から前記内部パネル５の両側部を当止した状態で、該内部パネル５の側部の前面から側面にかけて断面略Ｌ字形の押え金具２７を添設し、該押え金具２７と内部パネル５とを貫通したネジ２８を前記保持板２６に螺合し、該保持板２６と押え金具２７とで挟持して内部パネル５の側部を保持するのである。
【００２３】
図３及び図４に示すように、前記支柱３の内部であって、前記保持金具２２の保持板２６の前後の空間部に開口部１５からロックウール６，６をそれぞれ押し込んで充填している。ここで、前記支柱３の開口部１５の口縁は、相対向するように補強用の折曲片３０，３０を設けてあり、当該支柱３の空間に押込んだロックウール６，６を折曲片３０，３０で保持することができる。
【００２４】
また、前記天レール１の凹溝部内には、断面略コ字形の天保持部材２９をその凹溝を上方に向けて嵌合し、前記天レール１と天保持部材２９とで形成される内部空間にロックウール６を充填するようになっている。ここで、前記天保持部材２９は、適宜な手段にて保持し、例えば両端部を前記天固定部材１０，１０に係止しても良い。また、前記天保持部材２９の下面には、断面略コ字形の包持具３１を突設し、該包持具３１の垂下した前後の両挟持片３２，３３間に前記内部パネル５の上縁部を嵌合して保持するようになっている。尚、前記包持具３１の前側の挟持片３２は後側の挟持片３３よりも短く設定し、前記内部パネル５の上縁部を後傾状態で前面側から両挟持片３２，３３間に嵌入できるようにしている。
【００２５】
また、前記地レール２の凹溝部内には、断面略コ字形の地保持部材３４をその凹溝を下方に向けて嵌合し、前記地レール２と地保持部材３４とで形成される内部空間にロックウール６を充填するようになっている。ここで、前記地保持部材３４は、前記パネル受け部材２１の下面に固着して、該パネル受け部材２１で支持されているが、前記アジャスター受け１９で直接支持することも可能である。そして、前記地保持部材３４の上面には、前記アジャスター受け１９を介して前記内部パネル５の下端を載置するのである。
【００２６】
図４〜図１１に基づいて、本発明の高遮音性間仕切パネルの施工手順を説明する。先ず、前述のように、天井Ｓに天レール１を取付けるとともに、床面Ｆに地レール２を取付けた後、所定間隔毎に複数の支柱３，…を立設する。各支柱３には、前記保持金具２２，２３をネジ止めし、図４に示すように、前記保持金具２２の保持板２６の前後の空間部に開口部１５からロックウール６，６をそれぞれ押し込んで充填する。
【００２７】
次に、図５に示すように、前記天保持部材２９の上方へ向いた凹溝内にロックウール６を載せ、前記天レール１の凹溝部内に嵌合して保持し、前記天レール１と天保持部材２９とで形成される内部空間にロックウール６を充填する。それから、同様に、前記地保持部材３４の下方へ向いた凹溝内にロックウール６を圧入し、前記地レール２の凹溝部内に嵌合して保持し、前記地レール２と地保持部材３４とで形成される内部空間にロックウール６を充填する。
【００２８】
それから、図６及び図７に示すように、両支柱３，３間の後面側に前記パネル板４を、前記係止具１８，…を用いて嵌合係止するとともに、該パネル板４の下端を前記パネル受け部材２１に載置する。この状態で、図７及び図８に示すように、シート状に成形したロックウール６を、前面側から押込み、後面側の前記パネル板４の石膏ボード８に密着させるとともに、両側部を前記両側の支柱３，３に突設した各保持金具２２，２３の保持板２６，２６の背面側に押込んで保持する。ここで、前記後面側の前記パネル板４の石膏ボード８の背面には、アンカーピン３５，…を突設しておき、前記ロックウール６の内部に侵入させて該ロックウール６の下方へのずれを防止している。
【００２９】
それから、図８及び図９に示すように、前記内部パネル５の上端部をレベル調整をして切断し、該内部パネル５の上端部を前方の斜め下方から前記天保持部材２９の下面に突設した前記包持具３１の両挟持片３２，３３間に嵌挿し、そして前記内部パネル５を垂直に起こしながら、前記地保持部材３４の上面に位置するパネル受け部材２１の上面に載置し、この状態で前記内部パネル５の両側部の背面は、前記両側の支柱３，３に突設した各保持金具２２，２３の保持板２６，２６の前面側に当止する。この状態では、前記内部パネル５から手を離しても倒れることはなく、仮保持された状態となる。
【００３０】
そして、仮保持された前記内部パネル５の両側部に前記押え金具２７，２７を添設し、前面側からネジ２８，…で前記保持金具２２，２３の保持板２６，２６に螺合し、該保持板２６と押え金具２７とで挟んで保持する。
【００３１】
最後に、図１０及び図１１に示すように、前面側のパネル板４を、前記同様に係止具１８，…を利用して両支柱３，３の前面側に嵌合係止するとともに、該パネル板４の下端を前記パネル受け部材２１に載置して施工が完了する。
【００３２】
本発明に係る高遮音性間仕切パネルは、後面側から順に、パネル板４、ロックウール６の層、内部パネル５、空気層、パネル板４の５層構造になり、しかも表裏パネル板４，４はそれぞれ異なるロックウール層と空気層に接するので、固有振動状態が異なるようになり、それによりコインシデンス効果による２ｋＨｚ付近での性能低下が無くなる。また、防音性のパネル板４を用いたことと、両パネル板４，４間にロックウールボードからなる内部パネル５を設け、一方のパネル板４と内部パネル５間にロックウール６を充填し、更に天レール１、地レール２及び支柱３の内部にロックウール６を充填することにより、遮音効果を更に高め、５００Ｈｚ〜１ｋＨｚ付近（会話音域）での遮音性能を大幅に改善することができるのである。
【００３３】
図１２に、標準仕様と遮音仕様と高遮音仕様（本発明）の間仕切パネルの音響透過損失の測定結果を示している。音響透過損失が大きいほど遮音性に優れていることを示している。尚、標準仕様は、スチール製のパネル板を支柱に前後両面に装着した間仕切パネルである。遮音仕様は、スチール製の表面板７の背面に石膏ボード８を貼着したパネル板４を前記支柱３，３の表裏両側に取付けるとともに、表裏パネル板４，４間にロックウールを充填した間仕切パネルである。そして、高遮音仕様は、本発明の間仕切パネルである。この測定結果からも分かるように、本発明の高遮音性間仕切パネルは、会話音域の５００Ｈｚ〜１ｋＨｚ付近での遮音性能が優れているとともに、２ｋＨｚ付近での性能低下が無く、高音域において全体的に遮音性能に優れている。
【図面の簡単な説明】
【００３４】
【図１】本発明に係る高遮音性間仕切パネルの全体正面図である。
【図２】同じく要部の横断平面図である。
【図３】同じく要部の縦断側面図である。
【図４】支柱と保持金具の関係を示す分解断面図である。
【図５】全体の簡略分解斜視図である。
【図６】パネル板の背面図である。
【図７】両支柱間の後面側にパネル板を取付け、その前面側にロックウールを装填する状態の分解断面図である。
【図８】内部パネルを天固定部材の下面に突設した両挟持片間に嵌合した状態の部分断面図である。
【図９】内部パネルを装着前の状態を示す分解斜視図である。
【図１０】内部パネルの両側部の保持構造と、前面側パネル板の取付前の状態を示す分解断面図である。
【図１１】完成状態の横断平面図である。
【図１２】遮音性能の測定結果を表すグラフである。
【符号の説明】
【００３５】
１  天レール                          ２  地レール
３  支柱                              ４  パネル板
５  内部パネル（ロックウールボード）  ６  ロックウール
７  表面板                            ８  石膏ボード
９  アジャスター                      １０  天固定部材
１１  係止孔                          １２  側面板
１３  前面板                          １４  後面板
１５  開口部                          １６  縁部
１７  取付孔                          １８  係止具
１９  アジャスター受け                ２０  支持板
２１  パネル受け部材                  ２２  保持金具
２３  保持金具                        ２４  ネジ
２５  固定板                          ２６  保持板
２７  押え金具                        ２８  ネジ
２９  天保持部材                      ３０  折曲片
３１  包持具                          ３２  挟持片
３３  挟持片                          ３４  地保持部材
３５  アンカーピン
Ｆ  床面                              Ｓ  天井
【図１】
0004779494.tif 000002
【図２】
0004779494.tif 000003
【図３】
0004779494.tif 000004
【図４】
0004779494.tif 000005
【図５】
0004779494.tif 000006
【図６】
0004779494.tif 000007
【図７】
0004779494.tif 000008
【図８】
0004779494.tif 000009
【図９】
0004779494.tif 000010
【図１０】
0004779494.tif 000011
【図１１】
0004779494.tif 000012
【図１２】
0004779494.tif 000013